(57)【要約】  ユーザに対して有益な情報を提示する。充電装置（２１）は、香味吸引器（２３）から取得される情報、及び外部から取得される情報の少なくとも何れかに基づく第１の情報を取得又は生成する制御部（７）と、前記第１の情報を直接的に外部と通信可能とする通信部（９）と、前記第１の情報を表示する表示部（１０）とを備えている。
2019198552.tif 000002
【特許請求の範囲】
【請求項１】
香味吸引器を充電する充電装置であって、
前記香味吸引器から取得される情報、及び外部から取得される情報の少なくとも何れかに基づく第１の情報を取得又は生成する制御部と、
前記第１の情報を直接的に外部と通信可能とする通信部と、
前記第１の情報を表示する表示部と
を備えていることを特徴とする充電装置。
【請求項２】
前記香味吸引器から取得される情報は、
前記香味吸引器の使用に基づいて得られる情報を含み、
前記外部から取得される情報は、
コマーシャル、ファイナンス、ユーザのスケジュール、ソーシャルネットワーキングサービス、位置情報、天候、音楽、キャラクターのアプリケーション及び他の香味吸引器のユーザが使用する香味吸引器の使用情報から少なくとも一つ選択される情報に基づいて得られる情報を含む
ことを特徴とする請求項１に記載の充電装置。
【請求項３】
前記第１の情報は、
前記香味吸引器の使用に基づいて得られる情報、及び
コマーシャル、ファイナンス、ユーザのスケジュール、ソーシャルネットワーキングサービス、位置情報、天候、音楽、キャラクターのアプリケーション及び他の香味吸引器のユーザが使用する香味吸引器の使用情報から少なくとも一つ選択される情報に基づいて得られる情報
を含むことを特徴とする請求項１又は２に記載の充電装置。
【請求項４】
前記表示部は、前記第１の情報を、ユーザに対する推薦情報、警告情報、又は癒し情報として表示する
ことを特徴とする請求項１から３の何れか１項に記載の充電装置。
【請求項５】
前記制御部は、前記表示部への前記第１の情報の表示要否を決定し、前記制御部が表示要と決定した場合に、前記表示部は、前記第１の情報を表示する
ことを特徴とする請求項１から４の何れか１項に記載の充電装置。
【請求項６】
前記制御部は、前記第１の情報に含まれる各情報に対して優先度を設定し、前記表示部は、前記第１の情報のうち、優先度が相対的に高い情報を表示する
ことを特徴とする請求項１から５の何れか１項に記載の充電装置。
【請求項７】
前記制御部は、前記第１の情報の取得要否を決定し、取得要と決定した場合に、前記通信部を介して前記第１の情報を取得する
ことを特徴とする請求項１から６の何れか１項に記載の充電装置。
【請求項８】
前記制御部は、前記通信部を介して前記第１の情報を他のデバイスに供給し、当該他のデバイスに前記第１の情報を表示させる
ことを特徴とする請求項１から７の何れか１項に記載の充電装置。
【請求項９】
制御部は、複数の香味吸引器から同一時期に情報を取得する
ことを特徴とする請求項１から８の何れか１項に記載の充電装置。
【請求項１０】
香味吸引器を充電する充電装置と、サーバとを含む情報処理システムであって、
前記充電装置は、
前記香味吸引器から取得される情報、及び外部から取得される情報の少なくとも何れかに基づく第１の情報を取得する制御部と、
前記第１の情報を直接的に外部と通信可能に構成された通信部と、
前記第１の情報を表示する表示部と
を備えており、
前記サーバは、
前記第１の情報を生成する
ことを特徴とする情報処理システム。
【発明の詳細な説明】
【技術分野】
【０００１】
本発明は、主に、香味吸引器を充電する充電装置、及び、そのような充電装置を含む情報処理システムに関する。
【背景技術】
【０００２】
従来、加熱式タバコ等の香味吸引器のバッテリを充電するための充電装置が知られている。当該充電装置は、パーソナルコンピュータ等が備えているＵＳＢ端子と、香味吸引器とを接続し、ＵＳＢ端子からの電力を香味吸引器のバッテリに供給する。【０００３】
特許文献１には、エアロゾル送達デバイスの充電アクセサリ（本明細書では充電装置とも呼ぶ）が記載されている。当該充電アクセサリは、エアロゾル送達デバイスインターフェース、及び通信インターフェースを備えており、エアロゾル送達デバイスの使用データにアクセスし、当該使用データに基づき生成されたソーシャルデータを、エアロゾル送達デバイスユーザのコミュニティを含むソーシャルネットワーキングサービスに提供する。
【先行技術文献】
【特許文献】
【０００４】
【特許文献１】日本国公表特許公報「特表２０１７−５１２４５９号（２０１７年５月２５日公表）」
【発明の概要】
【発明が解決しようとする課題】
【０００５】
しかしながら、従来の充電は、ＰＣ等の他の端末装置を介してサーバに接続するため、ユーザの利便性の観点で改善の余地があった。通信機能を有する充電装置において、ユーザに対して有益な情報を提示する技術が求められている。【０００６】
本発明の一態様は、上記の問題点に鑑みてなされたものであり、その目的は、通信機能を有する充電装置において、ユーザに対して有益な情報を提示する技術を提供することである。
【課題を解決するための手段】
【０００７】
上記の課題を解決するために、本発明の一態様に係る充電装置は、香味吸引器を充電する充電装置であって、前記香味吸引器から取得される情報、及び外部から取得される情報の少なくとも何れかに基づく第１の情報を取得又は生成する制御部と、前記第１の情報を直接的に外部と通信可能とする通信部と、前記第１の情報を表示する表示部と、を備えている。【０００８】
また、上記の課題を解決するために、本発明の一態様に係る情報処理システムは、香味吸引器を充電する充電装置と、サーバとを含む情報処理システムであって、前記充電装置は、前記香味吸引器から取得される情報、及び外部から取得される情報の少なくとも何れかに基づく第１の情報を取得する制御部と、前記第１の情報を直接的に外部と通信可能とする通信部と、前記第１の情報を表示する表示部とを備えており、前記サーバは、前記第１の情報を生成する。
【発明の効果】
【０００９】
本発明の一態様によれば、ユーザの利便性を高めた充電装置を実現することができる。
【図面の簡単な説明】
【００１０】
【図１】実施形態１に係る表示システムの構成を示すブロック図である。
【図２】実施形態１に係る表示システムの構成を示す模式図である。
【図３】（ａ）は、実施形態１に係る充電装置の外観を、表示部の表示内容と共に示す図であり、（ｂ）は、表示部に表示される情報の例を示す図である。
【図４】実施形態１に係る充電装置が表示する表示例を示す図である。
【図５】実施形態１に係る充電装置が表示する表示例を示す図である。
【図６】実施形態１に係る表示システムによる第１の情報の生成処理を示すフローチャートである。
【図７】実施形態１に係る表示システムによる第１の情報の生成処理を示すフローチャートである。
【図８】実施形態１に係る表示システムによる第１の情報の生成処理を示すフローチャートである。
【図９】実施形態１に係る表示システムによる第１の情報の生成処理を示すフローチャートである。
【発明を実施するための形態】
【００１１】
以下、本発明の実施形態について、詳細に説明する。ただし、本実施形態に記載されている構成は、特に特定的な記載がない限り、この発明の範囲をそれのみに限定する趣旨ではなく、単なる説明例に過ぎない。
【００１２】
〔実施形態１〕
（表示システム１）
以下、本発明の実施形態１に係る表示システム（情報処理システム）１について、図１及び図２を参照して説明する。図１は、本実施形態に係る表示システム１の構成を示すブロック図である。図１が示すように、表示システム１は、１又は複数の表示装置（充電装置２１、・・・）及びクラウドサーバ４（以下、単にサーバ４とも呼称する）を含む。
【００１３】
図２は、本実施形態に係る表示システム１の構成を示す模式図である。図２に示すように、表示システム１において、１又は複数の充電装置は、一例として、グローバルネットワーク（クラウドネットワーク）上に配置されたサーバ４と通信可能に構成されている。また、図２に示すように、表示システム１は、サーバ４と通信可能に構成された１又は複数の端末装置（端末装置３１、３２、・・・）を更に備えていてもよい。ここで、端末装置として例えば、スマートフォンやパーソナルコンピュータなどが挙げられるが、本実施形態はこれに限定されるものではない。
【００１４】
なお、図１及び図２では一例として１つのサーバ４を図示しているが、これは本実施形態を限定するものではなく、表示システム１は複数のサーバを備え、充電装置がこれら複数のサーバと通信する構成であってもよい。
【００１５】
また、１又は複数の充電装置、及び、１又は複数の端末装置は、一例としてグローバルネットワークを介して互いに通信可能に構成されているが、これは本実施形態を限定するものではなく、１又は複数の充電装置、及び、１又は複数の端末装置は、Ｗｉｆｉ（登録商標）やＢｌｕｅｔｏｏｔｈ（登録商標）によるローカルネットワークを介して互いに通信可能に構成されてよい。また、表示システム１には、図１に示した香味吸引器２３が含まれる構成としてもよい。本実施形態では、充電装置に接続される形態として香味吸引器２３を例に挙げて説明するが、充電装置にハードウェア接続されるものは当該香味吸引器２３に限定されず、例えば、当該香味吸引器２３の機能を拡張可能なアクセサリ等のパーツなどであってもよく、上記構成に限定されるものではない。
【００１６】
（サーバ４）
図１に示すように、サーバ４は、例えば、サーバ通信部１７、サーバ制御部１８、サーバ記憶部１９を備えている。
【００１７】
サーバ通信部１７は、充電装置２１が備える通信部と通信を行う。また、サーバ通信部１７は、その他の充電装置２２や端末装置３１、３２とも通信可能である。また、サーバ通信部１７は、充電装置２１から、後述する香味吸引情報及び第１の情報を取得する。
【００１８】
サーバ制御部１８は、充電装置２１、２２から取得した香味吸引情報を参照して、第１の情報を生成する。あるいは、当該第１の情報は、複数の充電装置毎に生成してもよい。第１の情報の具体的な生成処理については後述する。
【００１９】
サーバ記憶部１９は、サーバ制御部１８が取得又は生成した第１の情報を、それぞれのユーザに関連付けて記憶することが可能である。より具体的には、サーバ記憶部１９には、香味吸引器２３の使用に基づいて得られる情報、及び、コマーシャル、ファイナンス、ユーザのスケジュール、ソーシャルネットワーキングサービス、位置情報、天候、音楽、キャラクターのアプリケーション及び他の香味吸引器のユーザが使用する香味吸引器の使用情報から少なくとも一つ選択される情報に基づいて得られる情報が記憶されている。これらの情報は、サーバ４によって生成及び更新されたものであってもよいし、サーバ４とは異なるサーバから取得されるものでもよい。また、上記の情報を直接的に充電装置に提供するだけでなく、それらの情報の格納先を示す格納先情報を充電装置に提供する構成であってもよい。
【００２０】
（香味吸引器２３）
図１に示すように、香味吸引器２３は、例えば、香味吸引器バッテリ２５、気流検知部２６、香味吸引器制御部２７、香味吸引器記憶部２８及び送信部２９を備えている。
【００２１】
香味吸引器バッテリ２５は、例えば、香味吸引器２３の各部に電源を供給する。気流検知部２６は、ユーザによる香味吸引器２３に対する吸引によって生じた気流を検知する。
【００２２】
香味吸引器制御部２７は、香味吸引器２３の各部を制御する。また、香味吸引器制御部２７は、その他例えば、気流検知部２６が検知した気流に基づいて気流情報を生成することも可能である。ここで、気流情報とは、ユーザによる香味吸引器２３に対する吸引によって生じた気流に関する情報を意味する。香味吸引器記憶部２８は、例えば、香味吸引器制御部２７が生成した気流情報を記憶するなど、香味吸引器によって取得される種々の情報を記憶可能である。
【００２３】
送信部２９は、香味吸引器制御部２７が生成した気流情報をはじめとする香味吸引器によって取得される情報を、充電装置２１に送信する。送信部２９による送信の態様は本実施形態を限定するものではないが、一例として、充電ポート１３を介してデータ取得部１４に送信する。
【００２４】
（端末装置３１）
端末装置３１、３２は、表示システム１における、充電装置以外の端末装置一般のことを指す。端末装置３１、３２は、例えば、ノート型ＰＣでもよいし、スマートフォンであってもよい。
【００２５】
後述するスケジュール、ファイナンス、及びソーシャルネットワーキングサービスに関する情報の更新は、端末装置３１を用いて行うことも可能である。また、後述する充電装置２１の表示部１０に表示される第１の情報や第１の情報に基づくアラートやレコメンド等を、充電装置２１と同じユーザが使用する端末装置３１に送信し、端末装置３１に表示させる構成としてもよい。また、充電装置２１に第１の情報を送信した旨の情報を、サーバ４から端末装置３１に送信し、端末装置３１にポップアップ表示させる構成としてもよい。
【００２６】
ここで、アラートの具体例として、後述する「警告情報」が挙げられるがそれに限定されるものではない。また、レコメンドの具体例として、後述する「推奨情報」が挙げられるが、それに限定されるものではない。
【００２７】
また、上記のような構成とするため、端末装置３１には、充電装置２１やサーバ４からのプッシュ送信を受け付け、受け付けた内容を当該端末装置３１の表示部にポップアップ表示するプログラムを予めインストールしておけばよい。そのようなプログラムも本明細書に記載の発明に含まれる。
【００２８】
（充電装置２１）
図１に示すように、充電装置２１は、例えば、カプセルスキャナ５、画像解析部６、制御部７、記憶部８、通信部９、表示部１０、ＵＳＢ接続部１１、バッテリ１２、及び充電ポート１３を備えている。制御部７は、データ取得部１４、データ処理部１５、及び表示制御部１６を備えている。なお、充電装置２１は、上記構成に限らず、目的や仕様に応じて適宜変更可能であり、上記構成に限定されるものではない。
【００２９】
また、図１に示すように、充電装置２１は、例えば、充電ポート１３を介して香味吸引器２３が接続可能である。そのほか、ＵＳＢ接続部１１が充電ポート１３を兼ねる構成であっても良い。
【００３０】
（ＵＳＢ接続部１１）
ＵＳＢ接続部１１は、パーソナルコンピュータ等の機器が備えるＵＳＢ端子に接続され、当該機器からの電力の供給、又はデータの送受信等を行う。
【００３１】
（充電ポート１３）
充電ポート１３は、香味吸引器２３に接続され、当該香味吸引器２３への電力の供給、又はデータの送受信等を行う。なお、ここにおける香味吸引器２３の具体例として、加熱式タバコ及び電子タバコ等が挙げられる。また、充電装置２１は、充電ポート１３を複数備えていてもよい。これにより、同時に、複数の香味吸引器を充電することができる。
【００３２】
（バッテリ１２）
バッテリ１２は、充電ポート１３に接続された香味吸引器に電力を供給する。また、バッテリ１２は、充電可能な電池であり、ＵＳＢ接続部１１が接続している機器から、電力の供給を受け、充電を行う。
【００３３】
（バッテリ検知部２４）
バッテリ検知部２４は、例えば、充電ポート１３を介して、香味吸引器２３の香味吸引器バッテリ２５の充電状況（電池残量等）を検知する。検知した充電状況を示すバッテリ情報は、制御部７のデータ取得部１４に供給される。
【００３４】
（通信部９）
通信部９は、サーバ４が備えるサーバ通信部１７から、コマーシャル、ファイナンス、ユーザのスケジュール、ソーシャルネットワーキングサービス、位置情報、天候、音楽、キャラクターのアプリケーション及び他の香味吸引器のユーザが使用する香味吸引器の使用情報から少なくとも一つ選択される情報に基づいて得られる情報を取得する。以下では、通信部９が取得する情報を「外部情報」と呼称することもある。通信部９が取得するこれらの外部情報は、例えば、サーバ４におけるサーバ制御部１８によって生成されるが、これは本実施形態を限定するものではなく、サーバ４以外のサーバによって取得又は生成された情報であってもよい。
【００３５】
また、通信部９は、通信部９は、充電装置２１が生成あるいは取得した第１の情報（後述）、又は記憶部８が記憶した第１の情報をサーバ４に送信する。
【００３６】
通信部９は、第１の情報を直接的に外部と通信可能とする構成である。換言すれば、通信部９は、第１の情報を他のデバイスを介することなく外部と通信可能に構成されている。このため、他のデバイスに接続する手間がかからないため、ユーザの利便性が向上する。
【００３７】
通信部９が取得する情報の一例をより具体的に説明すれば以下の通りである。以下に列記する情報は、テキストデータ、動画像及び静止画像の何れかを含んでもよいし、音声を含んでいてもよい。
【００３８】
（コマーシャルに基づく情報）
コマーシャルに基づく情報は、充電装置２１のユーザに対し、商品を案内するための情報である。コマーシャル自体の情報であってもよいし、当該コマーシャルを、後述する第１の情報を参照して、充電装置２１のユーザ向けに適宜編集して得られる情報であってもよい。またこのような編集処理は、サーバ４において行ってもよいし、充電装置２１において行ってもよいし、充電装置２１と同様の構成を有する他の充電装置において行ってもよい。
【００３９】
また、コマーシャルに基づく情報には、商品の値引きをユーザに通知するための情報が含まれていてもよい。また、香味吸引器のバッテリの買い替えをユーザに促すための情報が含まれていてもよい。
【００４０】
（天候に基づく情報）
天候に基づく情報は、充電装置２１のユーザに対して、天候を通知するための情報である。当該天候に基づく情報には、過去の天候に関する情報、現在の天候に関する情報、及び未来の天候に関する情報が含まれる。また、当該天候に基づく情報には、充電装置２１又は他の充電装置のユーザの所在地における天候、それらのユーザの移動先における天候等が含まれる。
【００４１】
（ファイナンスに基づく情報）
ファイナンスに基づく情報には、現在又は過去における株価の情報、金利の情報、その他先物取引に関する情報等が含まれる。特に、充電装置２１のユーザが保有する株式の株価、当該ユーザが保持する通貨と他の通貨との為替レート、及び、当該ユーザが保有する金などの鉱物の価格等が含まれる。
【００４２】
（ユーザのスケジュールに基づく情報）
ユーザのスケジュールに基づく情報には、充電装置２１又は他の充電装置のユーザのスケジュールに関する情報が含まれる。例えば、それらのユーザが、何月何日にどのイベントに参加するか、会議があるか等の情報が含まれ、例えば、ユーザの端末装置３１とスケジュールを同期させるなどして情報を更新可能である。
【００４３】
（ソーシャルネットワーキングサービスに基づく情報）
ソーシャルネットワーキングサービス（ＳＮＳ）に基づく情報には、充電装置２１のユーザ又は他のユーザがＳＮＳに投稿した投稿データ（テキストや図面等）が含まれる。また、それらの投稿データを投稿した日時を示す情報も含まれる。
【００４４】
（位置情報に基づく情報）
位置情報には、充電装置２１のユーザ又は他のユーザの現在又は過去における位置を示す位置情報が含まれる。そのような位置情報は、ユーザが保持する携帯端末のＧＰＳ（Global Positioning Service）機能を用いて取得することができる。あるいは、当該ＧＰＳ機能を充電装置２１に搭載させることにより、当該位置情報を生成する位置情報生成部を、充電装置２１が備える構成としてもよい。
【００４５】
(音楽に基づく情報)
音楽に基づく情報には、充電装置２１のユーザがダウンロードした楽曲（ミュージック画像含む）等が含まれる。
【００４６】
(キャラクターのアプリケーションに基づく情報)
キャラクターのアプリケーションには、例えば、ユーザがダウンロードした動物等のキャラクターの育成ゲーム等が含まれる。したがって、キャラクターのアプリケーションに基づく情報には、上記育成ゲームにおいて育成中のキャラクターの成長段階等を示す情報が含まれ得る。ただし、キャラクターのアプリケーションに基づく情報は上記の例に限定されるものではなく、当該アプリケーションが取得及び制御可能な各種の情報が含まれ得る。
【００４７】
（他のユーザが使用する香味吸引器の使用情報に基づく情報）
他のユーザが使用する香味吸引器の使用情報に基づく情報には、当該他のユーザに関する香味吸引情報（後述）が含まれる。
【００４８】
（メールに基づく情報）
メールに基づく情報には、充電装置２１のユーザ宛てに受信した受信データ、当該メールアドレスから送信した送信データが含まれる。
【００４９】
（カプセルの嗜好に関する情報）
カプセルの嗜好に関する基づく情報には、充電装置２１又は他の充電装置のユーザのカプセルの嗜好に関する情報や使用量（発注頻度含む）などが含まれる。一例として、当該ユーザが使用したカプセルの種類や数量など、またはその使用量が含まれる。
【００５０】
（バッテリに関する情報）
バッテリに関する情報には、充電装置２１又は香味吸引器２３のバッテリの定期メンテナンスのための情報、及びバッテリ買い替え提案に関する情報が含まれる。
【００５１】
以下では、引き続き、充電装置２１の各部の説明を続ける。
【００５２】
（カプセルスキャナ５）
カプセルスキャナ５は、香味吸引器用のカプセルをスキャンすることによりスキャン画像を取得する。ここで、当該カプセルは、香味を内部に含み、香味吸引器に接続され、ユーザによって香味吸引器が吸引された場合、香味をユーザに供給する構成を有する。また、カプセルスキャナ５は、画像スキャンのほか、例えば、匂いセンサーであっても良い。匂いセンサーとすることにより、例えば、匂いの強弱等をセンシングすることで使用済みのカプセルか否かを判別することができる。なお、ここにおける、香味をユーザに供給する部材は、カプセルに限定されない。当該構成の別の例として、香味を含むヒートスティック等が挙げられる。
【００５３】
（画像解析部６）
画像解析部６は、カプセルスキャナ５がスキャンすることによって取得されるスキャン画像を解析する。画像解析部６による解析結果は、制御部７のデータ処理部１５に供給される。
【００５４】
（着火部３３）
充電装置２１は、例えば、紙巻たばこに着火させる着火部３３を設けてもよい。これにより、別途ライター等の着火手段が不要となりユーザの利便性を向上させることができる。当該着火部３３で行われた加熱処理回数、加熱時刻、及び加熱処理が動作したときの位置情報等が、制御部７のデータ処理部１５に供給される。
【００５５】
（制御部７）
図１に示すように、制御部７は、データ取得部１４、データ処理部１５、及び、表示制御部１６を備えている。
【００５６】
データ取得部１４は、香味吸引器２３から情報を取得する。ここで、データ取得部１４による香味吸引器２３からの情報の取得は、香味吸引器２３と充電装置２１とが、有線又は無線通信を行うことによって行われてもよいし、画像解析部６が解析した解析結果に基づいて行われてもよい。また、香味吸引器２３から取得される情報には、データ取得部１４が取得したバッテリ情報が含まれる構成としてもよい。
【００５７】
また、データ取得部１４は、香味吸引器２３から同一時期に複数の情報を取得することもできるし、複数の香味吸引器から同一時期に情報を取得することもできる。ここで、同一時期とは、所定の時間間隔内のことを指し、例えば、０．５秒以内、１．０秒以内等が挙げられる。このように、データ取得部１４は、香味吸引器２３から同一時期に複数の情報を取得することもできるし、複数の香味吸引器から同一時期に情報を取得することもできるのでユーザの利便性を向上させることができる。
【００５８】
制御部７は、香味吸引器２３から取得される情報、及び、通信部９を介して外部から取得される情報の少なくとも何れかに基づく第１の情報を取得又は生成する。
【００５９】
ここで、制御部７が上記第１の情報を取得する構成の場合、第１の情報は、香味吸引器２３から取得される情報、又は、通信部９が取得する外部情報そのものであってもよいし、これらの情報からデータ処理部１５が抽出または選択することによって得られる情報であってもよい。
【００６０】
一例として、第１の情報は、
（１）香味吸引器２３の使用に基づいて得られる情報、及び、
（２）コマーシャル、ファイナンス、ユーザのスケジュール、ソーシャルネットワーキングサービス、位置情報、天候、及び他の香味吸引器のユーザが使用する香味吸引器の使用情報から少なくとも一つ選択される情報に基づいて得られる情報を含む。
【００６１】
一方で、制御部７が上記第１の情報を生成する構成の場合、データ処理部１５は、香味吸引器２３から取得する情報、又は、通信部９が取得する外部情報に基づいて、第１の情報を生成する。
【００６２】
一例として、データ処理部１５は、データ取得部１４が取得する画像解析部６による解析結果を参照して、香味吸引情報を含む第１の情報を生成する。ここで、香味吸引情報とは、香味吸引器２３の使用に基づいて得られる情報のことを指し、例えば、香味吸引器２３に接続されるカプセルが含む香味に関する情報、又は香味吸引器に対するユーザの吸引に関する情報等を含む。
【００６３】
なお、香味吸引器２３の使用に基づいて得られる情報とは、例えば、香味吸引器２３の使用履歴に基づいて取得又は生成される情報のことを指す。また、上述の香味吸引情報は、充電装置２２が香味吸引器２３から取得する情報の一例である。
【００６４】
表示制御部１６は、表示部１０を制御し、上述した第１の情報を表示部１０に表示させる。ここで、表示制御部１６は、表示部１０への第１の情報の表示要否を決定し、表示要と決定した場合に、表示部１０が、第１の情報を表示する構成としてもよい。例えば、表示制御部１６は、第１の情報の表示要否に関するユーザ指示を受け付け、ユーザ指示が表示要を示している場合に、第１の情報を表示部１０に表示させる構成としてもよい。
【００６５】
上記の構成によれば、表示要否に応じて第１の情報を表示できるのでユーザの利便性が高まる。
【００６６】
また、表示制御部１６は、第１の情報に含まれる各情報に対して優先度を設定し、前記第１の情報のうち、優先度が相対的に高い情報を表示部１０に表示させる構成としてもよい。一例として、表示制御部１６は、ユーザの嗜好、購買履歴、検索履歴、アプリ使用履歴等に基づいて、優先度の設定を行うことができる。
【００６７】
上記の構成によれば、優先度に応じて情報を表示できるのでユーザの利便性が高まる。
【００６８】
また、制御部７は、第１の情報の取得要否を決定し、取得要と決定した場合に、通信部９を介して第１の情報を取得する構成としてもよい。例えば、制御部７は、第１の情報の取得要否に関するユーザ指示を受け付け、ユーザ指示が取得要を示している場合に、第１の情報を取得する構成としてもよい。
【００６９】
上記の構成によれば、取得要否に応じて第１の情報を取得するのでユーザの利便性が高まる。
【００７０】
そのほかにも、制御部７は、上記第１の情報の表示要否、あるいは第１の情報に含まれる各情報に対して優先度に基づいた表示部１０への表示を行うか否かの他、例えば、表示時刻を指定して表示部１０に表示させるなどのように、表示タイミングを、ユーザが指示及び設定することができる構成としてもよい。
【００７１】
また、制御部７は、サーバ４又は他の充電装置への第１の情報の提供要否を決定し、提供用要と決定した場合に、通信部９を介して第１の情報を提供する構成としてもよい。例えば、制御部７は、第１の情報の提供要否に関するユーザ指示を受け付け、ユーザ指示が提供要を示している場合に、第１の情報を提供する構成としてもよい。
【００７２】
上記の構成によれば、提供要否に応じて第１の情報を提供するのでユーザの利便性が高まる。
【００７３】
（記憶部８）
記憶部８は、制御部７が生成又は取得する香味吸引情報及び第１の情報を記憶する。記憶部８が記憶する香味吸引情報及び第１の情報は、当該充電装置２１のユーザに関する香味吸引情報や第１の情報に限られない。通信部９が、他の充電装置のユーザに関する香味吸引情報や第１の情報を、当該他の充電装置又はサーバ４から取得し、取得した情報を記憶部８が記憶することも可能である。
【００７４】
（表示部１０）
表示部１０は、表示制御部１６によって制御され、上述した第１の情報を表示する。図３の（ａ）は、充電装置２１の外観の一例を、表示部１０による第１の情報の表示例と共に示す図である。
【００７５】
上述したように、第１の情報には、図３の（ａ）に示す例において、表示部１０が表示する第１の情報には、香味吸引器２３の使用に基づいて得られる情報として、香味吸引器２３のバッテリ残量、ユーザが吸引した回数、及び使用回数レポートが含まれている。また、図３の（ａ）に示すように、表示部１０が表示する第１の情報には、天候情報としての天気予報、ファイナンス情報としての株価、及び、コマーシャル情報としての新商品情報が含まれている。
【００７６】
図３の（ａ）に示すように、表示部１０は、表示領域Ｄ１において、香味吸引器２３のバッテリ残量を表示し、表示領域Ｄ２において、ユーザが吸引した回数を表示する。ここで、図３の（ａ）に示す「吸った回数（Ｒｅｇ）」はレギュラー香味のカプセルを吸引した回数を示し、「吸った回数（Ｍｅｎ）」は、メンソール香味のカプセルを吸引した回数を示している。
【００７７】
また、図３の（ａ）に示すように、表示部１０は、表示領域Ｄ３において、使用回数レポート、天気予報、株価、新商品情報等を表示することも可能である。
【００７８】
ここで、使用回数レポートとは、ユーザが吸引した回数に基づき、データ処理部１５又は、サーバ４によって生成される情報であり、例えば、日毎、週毎、又は月毎の吸引回数を、カプセルの種類と共に示す情報である。図３の（ｂ）は、月毎の吸引回数の推移を折れ線グラフで表す使用回数レポートの一例を示している。
【００７９】
また、データ処理部が、充電装置２１又は香味吸引器２３のバッテリの蓄電能力が所定の能力を下回ったと判断した場合には、表示部１０において、ユーザにバッテリ買い替えの提案を表示する構成としてもよい。
【００８０】
＜第１の情報の表示例＞
以下では、図４及び図５を参照して、表示部１０による第１の情報の他の表示例について説明する。以下の説明では、充電装置２１のユーザをユーザＡと表記し、充電装置２２のユーザをユーザＢと表記する。なお、上述のように、第１の情報の生成は、充電装置２１において行われてもよいし、サーバ４において行われてもよいが、説明の便宜上、以下では、第１の情報が充電装置２１において生成される場合を例に挙げて説明する。
【００８１】
また説明の便宜上、図４と図５とをそれぞれ参照して説明するが、表示部１０は、図４に示した内容と、図５に示した内容とを組み合わせて表示する構成としてもよい。また、図３に示した内容と、図４及び図５に示した内容とを組み合わせて表示してもよい。
【００８２】
（推奨情報の表示例）
図４は、表示部１０が、第１の情報を、ユーザに対する推薦情報として表示する場合の例を示す図である。
【００８３】
図４（ａ）は、充電装置２１が、充電装置２２又はサーバ４から取得したユーザＢに関する香味吸引情報を参照して、「Ｂさんは香味をｘｘｘに変更したようです。Ａさんも一度お試ししたらいかがでしょうか？」という第１の情報を生成し、生成した第１の情報を、表示部１０が、ユーザＡに対する推奨情報（レコメンド情報）として表示する例を示している。図４（ａ）に示すように、第１の情報には、「Ｂさんは香味をｘｘｘに変更したようです。」という他の充電装置のユーザの香味吸引情報に基づく情報と、「Ａさんも一度お試ししたらいかがでしょうか？」という推奨の文言とが含まれる。
【００８４】
図４（ｂ）は、充電装置２１が、サーバ４から取得した天候情報を参照して、「今日は天気がいいですね。こんな日は、香味ｙｙｙをお試ししたらいかがでしょうか？」という第１の情報を生成し、生成した第１の情報を、表示部１０が、ユーザＡに対する推奨情報として表示する例を示している。図４（ｂ）に示すように、第１の情報には、「今日は天気がいいですね。」という天候に関する情報と、「香味ｙｙｙをお試ししたらいかがでしょうか？」という推奨の文言とが含まれる。
【００８５】
図４（ｃ）は、充電装置２１が、サーバ４から、ユーザＡの所持する株の株価情報を取得し、取得した株価情報を参照して、「会社ＡＡＡの株価が上がりましたね。こんな日は、香味ｙｙｙをお試ししたらいかがでしょうか？」という第１の情報を生成し、生成した第１の情報を、表示部１０が、ユーザＡに対する推奨情報として表示する例を示している。図４（ｃ）に示すように、第１の情報には、「会社ＡＡＡの株価が上がりましたね。」というユーザＡの所持する株価に関する情報と、「香味ｙｙｙをお試ししたらいかがでしょうか？」という推奨の文言とが含まれる。
【００８６】
図４（ｄ）は、充電装置２１が、サーバ４から、ユーザＡのスケジュール情報を取得し、取得したスケジュール情報を参照して、「明日はいよいよイベントＢＢＢがありますね。こんな日は、香味ｙｙｙをお試ししたらいかがでしょうか？」という第１の情報を生成し、生成した第１の情報を、表示部１０が、ユーザＡに対する推奨情報として表示する例を示している。図４（ｄ）に示すように、第１の情報には、「明日はいよいよイベントＢＢＢがありますね。」というユーザＡのイベントに関する情報と、「香味ｙｙｙをお試ししたらいかがでしょうか？」という推奨の文言とが含まれる。
【００８７】
以上のように、第１の情報を推奨情報としてユーザに提示することにより、ユーザの気づきを促すことができるので、ユーザの利便性がより一層向上する。
【００８８】
（警告情報の表示例）
図５は、表示部１０が、第１の情報を、ユーザに対する警告情報として表示する場合の例を示す図である。
【００８９】
図５（ａ）は、充電装置２１が取得したユーザＡに関する香味吸引情報を参照して、「吸引回数が予め設定された回数を超えました。ご注意ください。」という第１の情報を生成し、生成した第１の情報を、表示部１０が、ユーザＡに対する警告情報として表示する例を示している。図５（ａ）に示すように、第１の情報には、「吸引回数が予め設定された回数を超えました。」というユーザＡの香味吸引情報に基づく情報と、「ご注意ください」という警告の文言とが含まれる。なお、上記の表示を行うために、データ処理部は１５は、ユーザが予め設定した回数と、データ取得部１４が取得する吸引回数とを比較し、吸引回数が、ユーザが予め設定した回数を超えた場合に、上述のような第１の情報を生成する構成とすればよい。サーバ４にて第１の情報を生成する場合も同様である。
【００９０】
図５（ｂ）は、充電装置２２又はサーバ４から取得したユーザＢに関する香味吸引情報を参照して、「Ｂさんは、本日１回も吸引していません。心配なのでＢさんに連絡したらいかがでしょうか？」という第１の情報を生成し、生成した第１の情報を、表示部１０が、ユーザＡに対する警告情報として表示する例を示している。図５（ｂ）に示すように、第１の情報には、「Ｂさんは、本日１回も吸引していません。」というユーザＢの香味吸引情報に基づく情報と、「心配なのでＢさんに連絡したらいかがでしょうか？」という警告の文言とが含まれる。なお、上記の表示を行うために、データ処理部は１５は、ユーザＢの香味吸引情報から吸引回数を抽出し、抽出した吸引回数が、当日において０である場合に、上述のような第１の情報を生成する構成とすればよい。サーバ４にて第１の情報を生成する場合も同様である。
【００９１】
図５（ｃ）は、充電装置２２又はサーバ４から取得したユーザＢに関する香味吸引情報を参照して、「Ｂさんは、本日ＸＸ回以上吸引しています。心配なのでＢさんに連絡したらいかがでしょうか？」という第１の情報を生成し、生成した第１の情報を、表示部１０が、ユーザＡに対する警告情報として表示する例を示している。図５（ｂ）に示すように、第１の情報には、「Ｂさんは、本日ＸＸ回以上吸引しています。」というユーザＢの香味吸引情報に基づく情報と、「心配なのでＢさんに連絡したらいかがでしょうか？」という警告の文言とが含まれる。なお、上記の表示を行うために、データ処理部１５は、ユーザＢの香味吸引情報から吸引回数を抽出し、抽出した吸引回数が、当日において所定の回数以上である場合に、上述のような第１の情報を生成する構成とすればよい。サーバ４にて第１の情報を生成する場合も同様である。
【００９２】
以上のように、第１の情報を警告情報としてユーザに提示することにより、ユーザの気づきを促すことができるので、ユーザの利便性がより一層向上する。
【００９３】
そのほか、不図示ではあるが、第１の情報を癒し情報としてユーザに提示してもよい。より具体的には、癒し情報として、音楽（ミュージック画像含む）や育成ゲームにおける動物やキャラクターを表示部１０に表示させる構成とすることができる。その際、癒し情報として、ＬＥＤやＬＣＤ等による発光やアロマ（香り）等による発香等を単独、あるいは組み合わせて使用することによりユーザのリラックスさせることができる。また、当該癒し情報である第１の情報の表示要否、優先度に基づく表示、及び表示タイミングをユーザが指示及び設定することができるように、充電装置２１を構成してもよい。
【００９４】
＜第１の情報の生成及び送信処理例＞
以下では、図６〜図９を参照して、第１の情報を生成する処理例について説明する。
【００９５】
（第１の情報を充電装置で生成する場合の処理例）
図６は、第１の情報を充電装置で生成する場合の処理例の流れを示すフローチャートである。本例では、カプセルのスキャンを契機として、充電装置２１にて第１の情報を生成する。
【００９６】
（ステップＳ０）
まず、ステップＳ０において、カプセルスキャナ５は、香味吸引器用のカプセルをスキャンすることによりスキャン画像を取得する。
【００９７】
（ステップＳ１）
次に、ステップＳ１において、画像解析部６は、カプセルスキャナ５がスキャンすることによって取得したスキャン画像を解析する。画像解析部６によるスキャン画像の解析結果の例として、銘柄を示すカプセルの色の認識、及びカプセルの製造日又は製造場所を示すバーコードの認識等が挙げられる。
【００９８】
（ステップＳ２）
次に、ステップＳ２において、データ取得部１４は、画像解析部６が解析した解析結果を取得する。
【００９９】
（ステップＳ３）
次に、ステップＳ３において、データ処理部１５は、データ取得部１４が取得した解析結果を参照して、香味吸引情報を生成する。データ処理部１５が生成する香味吸引情報の例として、カプセルが含む香味の種類を示す情報、及びカプセルの製造日又は製造場所を示す情報等が挙げられる。
【０１００】
また、データ処理部１５は、上記香味吸引情報を参照して第１の情報を生成する。データ処理部１５は、充電装置２１のユーザに関するユーザの香味吸引情報のみではなく、他のユーザの香味吸引情報を、サーバ４又は他の充電装置から取得しておき、それらの香味吸引情報を更に参照して第１の情報を生成してもよい。
【０１０１】
データ処理部１５が生成する第１の情報の例については、＜第１の情報の表示例＞等において説明した通りである。
【０１０２】
（ステップＳ４）
続いて、ステップＳ４において、表示部１０は、ステップＳ３において生成した第１の情報を表示する。具体的な表示例については上述した通りである。
【０１０３】
また、本ステップにおいて通信部９は、データ処理部１５が生成した香味吸引情報又は第１の情報をサーバ通信部１７に送信する構成としてもよい。なお、通信部９が香味吸引情報又は第１の情報を送信するか否かをユーザが決定する構成を採用してもよい。その場合、充電装置２１は、ユーザからの入力を受け付ける入力部をさらに備え、ユーザが、当該入力部を介して、香味吸引情報をサーバ通信部１７に送信するか否かを決定してもよい。また、通信部９は、ＵＳＢ接続部１１が、パーソナルコンピュータ等の機器が備えるＵＳＢ端子に接続されている場合にのみ、香味吸引情報をサーバ通信部１７に送信してもよい。これにより、通信によるバッテリ消費を抑制することができる。
【０１０４】
（第１の情報をサーバで生成する場合の処理例）
図７は、第１の情報をサーバで生成する場合の処理例の流れを示すフローチャートである。本例では、カプセルのスキャンを契機として、サーバ４にて第１の情報を生成する。
【０１０５】
（ステップＳ０〜Ｓ３）
ステップＳ０〜Ｓ３については、図６を参照して説明したステップＳ０〜Ｓ３と同様である。ただし、図９のステップＳ３では、データ処理部１５による第１の情報の生成は必須ではない。
【０１０６】
（ステップＳ５）
ステップＳ５において、通信部９は、データ処理部１５が生成した香味吸引情報をサーバ通信部１７に送信する。
【０１０７】
（ステップＳ１０）
続いて、ステップＳ１０において、サーバ通信部１７は、通信部９が送信した香味吸引情報を受信する。
【０１０８】
（ステップＳ１１）
続いて、ステップＳ１１において、サーバ制御部１８は、ステップＳ１０において受信した香味吸引情報を参照して、第１の情報を生成する。ここで、サーバ記憶部１９に記憶された、他のユーザに関する香味吸引情報を更に参照して第１の情報を生成する構成としてもよい。
【０１０９】
（ステップＳ１２）
続いて、ステップＳ１２において、サーバ通信部１７は、ステップＳ１１においてサーバ制御部１８が生成した第１の情報を充電装置２１に送信する。
【０１１０】
（ステップＳ１３）
続いて、ステップＳ１３において、充電装置２１の通信部９は、サーバ通信部１７が送信した第１の情報を受信する。
【０１１１】
（ステップＳ１４）
続いて、ステップＳ１４において、表示部１０は、ステップＳ１３において受信した第１の情報を表示する。具体的な表示例については上述した通りである。
【０１１２】
（第１の情報を充電装置で生成する場合の処理例２）
図８は、第１の情報を充電装置で生成する場合の処理例２の流れを示すフローチャートである。本例では、バッテリの検知を契機として、充電装置２１にて第１の情報を生成する。
【０１１３】
（ステップ２０）
まず、ステップＳ２０において、バッテリ検知部２４は、充電ポート１３を介して、香味吸引器２３の香味吸引器バッテリ２５の充電状況（電池残量等）を検知する。
【０１１４】
（ステップＳ２１）
次に、ステップＳ２１において、データ取得部１４は、バッテリ検知部２４が検知した充電状況を示すバッテリ情報を取得する。
【０１１５】
（ステップＳ２２）
次に、ステップＳ２２において、データ処理部１５は、データ取得部１４が取得したバッテリ情報を参照して香味吸引情報を生成する。データ処理部１５が生成する香味吸引情報の例として、香味吸引器２３のバッテリ残量又はバッテリ残量レベル、ユーザが充電した回数、及び消費した総電力量等が挙げられる。
【０１１６】
また、データ処理部１５は、上記香味吸引情報を参照して第１の情報を生成する。データ処理部１５は、充電装置２１のユーザに関するユーザの香味吸引情報のみではなく、他のユーザの香味吸引情報を、サーバ４又は他の充電装置から取得しておき、それらの香味吸引情報を更に参照して第１の情報を生成してもよい。尚、目的や使用に応じ充電装置間の情報のやり取りは、無線によるデータ通信に限られず、有線等の物理的接続によっても可能な構成である。
【０１１７】
データ処理部１５が生成する第１の情報の例については、＜第１の情報の表示例＞等において説明した通りである。
【０１１８】
（ステップＳ２３）
続いて、ステップＳ２３において、表示部１０は、ステップＳ２２において生成した第１の情報を表示する。具体的な表示例については上述した通りである。
【０１１９】
また、本ステップにおいて、通信部９は、データ処理部１５が生成した香味吸引情報又は第１の情報を、サーバ通信部１７に送信する構成としてもよい。
【０１２０】
なお、図７を参照して説明した通り、第１の情報は、サーバ４によって生成される構成としてもよい。したがって、本例に対応して、バッテリの検知を契機として、サーバ４において第１の情報を生成してもよい。
【０１２１】
（第１の情報を充電装置で生成する場合の処理例３）
図９は、第１の情報を充電装置で生成する場合の処理例３の流れを示すフローチャートである。本例では、吸引による気流の検知を契機として、充電装置２１にて第１の情報を生成する。
【０１２２】
（ステップＳ３０）
まず、ステップＳ３０において、香味吸引器２３の気流検知部２６は、ユーザによる香味吸引器２３に対する吸引によって生じた気流を検知する。
【０１２３】
（ステップＳ３１）
次に、ステップＳ３１において、香味吸引器制御部２７は、気流検知部２６が検知した気流に基づいて気流情報を生成する。香味吸引器制御部２７が生成する気流情報の例として、ユーザによる香味吸引器２３に対する吸引によって生じた気流に基づいた吸引回数等が挙げられる。
【０１２４】
（ステップＳ３２）
次に、ステップＳ３２において、データ取得部１４は、充電ポート１３及び送信部２９を介して、香味吸引器制御部２７から気流情報を取得する。
【０１２５】
（ステップＳ３３）
次に、ステップＳ３３において、データ処理部１５は、データ取得部１４が取得した気流情報を参照して香味吸引情報を生成する。データ処理部１５が生成する香味吸引情報の例として、ユーザによる香味吸引器２３を用いた吸引回数、喫煙頻度（吸引回数／所定時間）、喫煙日時、１回あたりの喫煙時間、喫煙場所での滞在時間、及び喫煙間の休息時間等が挙げられる。
【０１２６】
また、データ処理部１５は、上記香味吸引情報を参照して第１の情報を生成する。データ処理部１５は、充電装置２１のユーザに関するユーザの香味吸引情報のみではなく、他のユーザの香味吸引情報を、サーバ４又は他の充電装置から取得しておき、それらの香味吸引情報を更に参照して第１の情報を生成してもよい。
【０１２７】
データ処理部１５が生成する第１の情報の例については、＜第１の情報の表示例＞等において説明した通りである。
【０１２８】
（ステップＳ３４）
続いて、ステップＳ３４において、表示部１０は、ステップＳ３３において生成した第１の情報を表示する。具体的な表示例については上述した通りである。
【０１２９】
また、本ステップにおいて、通信部９は、データ処理部１５が生成した香味吸引情報をサーバ通信部１７に送信する構成としてもよい。
【０１３０】
なお、図７を参照して説明した通り、第１の情報は、サーバ４によって生成される構成としてもよい。したがって、本例に対応して、吸引による気流の検知を契機として、サーバ４において第１の情報を生成してもよい。
【０１３１】
〔ソフトウェアによる実現例〕
充電装置２１の制御ブロック（特に制御部７）は、集積回路（ＩＣチップ）等に形成された論理回路（ハードウェア）によって実現してもよいし、ソフトウェアによって実現してもよい。
【０１３２】
後者の場合、充電装置２１又は充電装置２２は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１３４】
〔まとめ〕
本発明の態様１に係る充電装置は、香味吸引器を充電する充電装置であって、前記香味吸引器から取得される情報、及び外部から取得される情報の少なくとも何れかに基づく第１の情報を取得又は生成する制御部と、前記第１の情報を直接的に通信可能とする通信部と、前記第１の情報を表示する表示部とを備えている構成である。
【０１３５】
上記の構成によれば、ユーザの利便性を高めた充電装置を実現することができる。
【０１３６】
本発明の態様２に係る充電装置は、上記の態様１において、前記香味吸引器から取得される情報は、前記香味吸引器の使用に基づいて得られる情報を含み、前記外部から取得した情報は、コマーシャル、ファイナンス、ユーザのスケジュール、ソーシャルネットワーキングサービス、位置情報、天候、及び他の香味吸引器のユーザが使用する香味吸引器の使用情報から少なくとも一つ選択される情報に基づいて得られる情報を含む構成としてもよい。
【０１３７】
上記の構成によれば、ユーザの利便性がより一層向上する。
【０１３８】
本発明の態様３に係る１又は２に記載の充電装置において、前記第１の情報は、前記香味吸引器の使用に基づいて得られる情報、及びコマーシャル、ファイナンス、ユーザのスケジュール、ソーシャルネットワーキングサービス、位置情報、天候、及び他の香味吸引器のユーザが使用する香味吸引器の使用情報から少なくとも一つ選択される情報に基づいて得られる情報を含む構成である。
【０１３９】
上記の構成によれば、ユーザの利便性がより一層向上する。
【０１４０】
本発明の態様４に係る充電装置は、上記の態様１から３の何れか１項において、前記表示部は、前記第１の情報を、ユーザに対する推薦情報、又は警告情報として表示する構成としてもよい。
【０１４１】
上記の構成によれば、ユーザの利便性がより一層向上する。
【０１４２】
本発明の態様５に係る充電装置は、上記の態様１から４の何れか１項において、前記制御部は、前記表示部への前記第１の情報の表示要否を決定し、前記制御部が表示要と決定した場合に、前記表示部は、前記第１の情報を表示する構成としてもよい。
【０１４３】
上記の構成によれば、表示要否に応じて、第１の情報を表示させたり、表示させなかったりすることができる。
【０１４４】
本発明の態様６に係る充電装置は、上記の態様１から５の何れか１項において、前記制御部は、前記第１の情報に含まれる各情報に対して優先度を設定し、前記表示部は、前記第１の情報のうち、優先度が相対的に高い情報を表示する構成としてもよい。
【０１４５】
上記の構成によれば、優先度に応じて好適な情報を表示することができる。
【０１４６】
本発明の態様７に係る充電装置は、上記の態様１から６の何れか１項において、前記制御部は、前記第１の情報の取得要否を決定し、取得要と決定した場合に、前記通信部を介して前記第１の情報を取得する構成としてもよい。
【０１４７】
上記の構成によれば、取得要否に応じて、第１の情報を取得したり、取得しなかったりすることができる。
【０１４８】
本発明の態様８に係る充電装置は、上記の態様１から７の何れか１項において、前記制御部は、前記通信部を介して前記第１の情報を他のデバイスに供給し、当該他のデバイスに前記第１の情報を表示させる構成としてもよい。
【０１４９】
上記の構成によれば、第１の情報を他のデバイスに表示させるので、ユーザに対して有効に情報を提示することができる。
【０１５０】
本発明の態様９に係る充電装置は、上記の態様１から８の何れか１項において、前記制御部は、複数の香味吸引器から同一時期に情報を取得する構成としてもよい。
【０１５１】
上記の構成によれば、複数の香味吸引器から同一時期に情報を取得するので、ユーザの利便性を高めることができる。
【０１５２】
本発明の態様１０に係る情報処理システムは、香味吸引器を充電する充電装置と、サーバとを含む情報処理システムであって、前記充電装置は、前記香味吸引器から取得される情報、及び外部から取得される情報の少なくとも何れかに基づく第１の情報を取得する制御部と、前記第１の情報を直接的に外部と通信可能とする通信部と、前記第１の情報を表示する表示部とを備えており、前記サーバは、前記第１の情報を生成する構成である。
【０１５３】
上記の構成によれば、ユーザの利便性を高めた表示システムを実現することができる。
【０１５４】
本発明の各態様に係る充電装置は、コンピュータによって実現してもよく、この場合には、コンピュータを上記充電装置が備える各部（ソフトウェア要素）として動作させることにより上記充電装置をコンピュータにて実現させる充電装置の制御プログラム、およびそれを記録したコンピュータ読み取り可能な記録媒体も、本発明の範疇に入る。
【符号の説明】
【０１５５】
１  表示システム
２１、２２  充電装置
３１、３２  端末装置
４  サーバ
５  カプセルスキャナ
６  画像解析部
７  制御部
８  記憶部
９  通信部
１０  表示部
１１  ＵＳＢ接続部
１２  バッテリ
１３  充電ポート
１４  データ取得部
１５  データ処理部
１６  表示制御部
１７  サーバ通信部
１８  サーバ制御部
１９  サーバ記憶部
２３  香味吸引器
２４  バッテリ検知部
２５  香味吸引器バッテリ
２６  気流検知部
２７  香味吸引器制御部
２８  香味吸引器記憶部
２９  送信部
【図１】
2019198552.tif 000003
【図２】
2019198552.tif 000004
【図３】
2019198552.tif 000005
【図４】
2019198552.tif 000006
【図５】
2019198552.tif 000007
【図６】
2019198552.tif 000008
【図７】
2019198552.tif 000009
【図８】
2019198552.tif 000010
【図９】
2019198552.tif 000011
【国際調査報告】
2019198552.tif 000012
2019198552.tif 000013
2019198552.tif 000014
2019198552.tif 000015